(57)【要約】【課題】液剤容器とバイアル容器等の間で薬液移送する際の保護具を提供する。【解決手段】押圧変形可能なプラスチック製液剤容器１０の開口１１ａに嵌めたシール１２を固定する固定部材１３のフランジ部１３ｆに、上記頚部開口１１ａと同心をなす保持筒１４の下端を着脱可能に外嵌めし、該保持筒１４内に、上下方向に突き出して連通し上記保持筒１４内で摺動する中空針構成体１５を装入し、該中空針構成体１５が下方に位置したとき下部中空針１５ａがシール１２に刺し込まれるようにし、露出している上部中空針１５ｂを保護するものにおいて、上記保持筒１４の上端に嵌る被嵌部１６と、この被嵌部１６の中心部分に支持盤１８を介して、上記上部中空針１５ｂに被嵌する管１７を一体に形成してなるもので、必要ならば、上記支持盤から被嵌部にかけて放射状の切り欠きを、上記被嵌部の内周に突起を、上記被嵌部内周に環状リブを形成するか、上記被嵌部内周下端に、上記保持筒の上端に設けた雄ねじに対応する雌ねじを設ける。【選択図】図１
0003103274.tif 000002
【実用新案登録請求の範囲】
【請求項１】
押圧変形可能なプラスチック製液剤容器の頚部開口に嵌めたシールを固定する固定部材のフランジ部に、上記頚部開口と同心をなす保持筒の下端を着脱可能に外嵌めし、該保持筒内に、上下方向に突き出して連通し上記保持筒内で摺動する中空針構成体を装入し、該中空針構成体が下方に位置したとき下部中空針が頚部開口のシール部に刺し込まれるようになり、露出している上部中空針を保護するものにおいて、上記保持筒の上端に嵌る被嵌部と、この被嵌部の中心部分に支持盤を介して、上記上部中空針に被嵌する管を一体に形成してなることを特徴とする液剤移送部の保護具。
【請求項２】
上記支持盤から被嵌部にかけて放射状の切り欠きを形成したことを特徴とする請求項１に記載の液剤移送部の保護具。
【請求項３】
上記被嵌部内周に複数の突起を形成したことを特徴とする請求項１または２に記載の液剤移送部の保護具。
【請求項４】
上記被嵌部内周に環状リブを形成したことを特徴とする請求項１または２に記載の液剤移送部の保護具。
【請求項５】
上記被嵌部内周下端に、上記保持筒の上端に設けた雄ねじに対応する雌ねじを設けたことを特徴とする請求項１または２に記載の液剤移送部の保護具。
【考案の詳細な説明】
【技術分野】
【０００１】
この考案は医薬を液剤に溶解し、その混合薬液を投与する過程で用いる器具または付属品に関する。
【背景技術】
【０００２】
本出願人は実願昭６２−１３５９９９号で、押圧変形自在なプラスチック製の溶解液容器の本体と、該本体の口部のシール部に、該口部と同心をなす筒状のサポートリングを上方に向け起立させ、且つ適宜取外し得るように装着し、該サポートリングに、上下一対の相連通する針体を具備する両頭針を、上下にスライド自在にして、下方にスライドしたとき、下部針体が本体口部のシール部に刺し込まれるように支持させたことを特徴とする両頭針付き溶解液容器を提案した。
【０００３】
上記両頭針付き溶解液容器の提案によって、例えばバイアル容器に収容された抗生物質を生理食塩水に溶解し、これを患者に直接投与あるいは輸液とともに投与する場合、生理食塩水に抗生物質を溶解する作業から患者に投与するまでの作業が安全・確実・迅速にできるようになった。
【考案の開示】
【考案が解決しようとする課題】
【０００４】
上記提案の両頭針付き溶解液容器は医療現場で好評を得てきたが、実使用のなかから、医薬を液剤に溶解し投与に至る過程では、両頭針の上側の針が露出しており、処置担当者の手指に触れて切創する恐れがあり、それがために院内感染の恐れがあって改善が求められている。
【０００５】
上記状況に鑑みこの考案は、上記両頭針付き溶解液容器に収容された液剤に医薬を溶解した後、該溶解医薬を患者に投与するまでの間に、上記露出した両頭針に処置担当者の手指が触れることがないようにし、安全確実に処置作業が行えるようにした液剤移送部の保護具を提供することを課題とする。
【課題を解決するための手段】
【０００６】
上記課題を解決するためにこの考案は、押圧変形可能なプラスチック製液剤容器の頚部開口に嵌めたシールを固定する固定部材のフランジ部に、上記頚部開口と同心をなす保持筒の下端を着脱可能に外嵌めし、該保持筒内に、上下方向に突き出して連通し上記保持筒内で摺動する中空針構成体を装入し、該中空針構成体が下方に位置したとき下部中空針が頚部開口のシール部に刺し込まれるようにし、露出している上部中空針を保護するものにおいて、上記保持筒の上端に嵌る被嵌部と、この被嵌部の中心部分に支持盤を介して、上記上部中空針に被嵌する管を一体に形成してなり、必要ならば、上記支持盤から被嵌部にかけて放射状の切り欠きを形成するか、上記被嵌部内周に複数の突起を形成するか、上記被嵌部内周に環状リブを形成するか、あるいは上記被嵌部内周下端に、上記保持筒の上端に設けた雄ねじに対応する雌ねじを設けることができる。
【考案の効果】
【０００７】
上記の如く構成するこの考案によれば、医薬を液剤に溶解してバイアル容器を除去した後は、保持筒の上端に液剤移送部の保護具の被嵌部が被ると同時に上側の中空針に上記管が被嵌するので、上記中空針が処置作業者の手指に触れて切創することがなく、かつ、院内感染を防止することができる。
【考案を実施するための最良の形態】
【０００８】
次にこの考案の実施の形態を、図面を参照しながら説明する。液剤容器１０は、例えば直鎖状低密度ポリエチレン（以下、ＬＬＤＰＥという）を押圧変形可能に成形したもので、その頚部１１を厚肉にして開口部１１ａにはゴムを素材とするシール１２が嵌め被せられ、このシール１２の上部外周から周囲を包む部分１３ａと、その下端のフランジ１３ｆを一体にＬＬＤＰＥを形成した固定部材１３が被せられ、フランジ部１３ｆは上記液剤容器１０の頚部１１に融着されて一体になって完全にシーリングされている。
【０００９】
上記フランジ１３ｆの外周上端には段差１３ｂが形成され、その境目に環状凹溝１３ｃが形成されて、保持筒１４を被せたとき、この環状凹溝１３ｃに保持筒１４の下端に設けた環状リブ１４ａが嵌り合って着脱自在になっている。なお、保持筒１４の上下内面には環状凹溝１４ｂが形成されている。
【００１０】
保持筒１４内には、中心に上下方向に連通する中空針１５ｎが、その外側同心円上にバイアル容器Ｂの口部を受け入れる円形壁１５ｃが、その外周に摺動筒１５ｅがそれぞれ配置されて、これらが鍔体１５ｄを介して一体になった中空針構成体１５が軸方向に摺動可能に装入され、摺動筒１５ｅの下端外周に設けた環状リブ１５ｆが上記環状凹溝１４ｂに嵌って上下の位置で止まるようになっている。なお、中空針１５ｎあるいは円形壁１５ｃには、必要に応じて突起などの抜け止め防止手段（図示せず）を設けることができ、中空針構成体１５は、適切な硬度のプラスチック、例えば高密度ポリエチレン（ＨＤＰＥ）やポリプロピレン（ＰＰ）により成形される。
【００１１】
上記中空針構成体１５の上部中空針１５ｂをバイアル容器Ｂのゴム栓（図示せず）に刺し込みながらバイアル容器Ｂの口部を円形壁１５ｃに嵌め入れて下方に押し下げると、下部中空針１５ａがシール１２に突き刺さって液剤容器１０とバイアル容器Ｂとが連通状態となる。
【００１２】
この状態で液剤容器１０を押圧変形させると液剤容器１０内の液剤がバイアル容器Ｂ内に送り込まれてバイアル容器Ｂ内の抗生物質などの薬剤が溶解し、バイアル容器Ｂを上にして押圧力を除去すると薬剤が溶け込んだ薬液が液剤容器１０に戻り、液剤容器１０の押圧・押圧除去を繰り返えして薬剤を充分液剤に溶解・混合させた後、バイアル容器Ｂを円形壁１５ｃから取り外す。
【００１３】
バイアル容器Ｂを取り外した状態では、中空針構成体１５の上部中空針１５ｂは露出しており、処置担当者の手指に触れる恐れがあるので、上記液剤移送部の保護具２０を上記保持筒１４の上端に被せる。
【００１４】
液剤移送部の保護具２０は、保持筒１４に嵌る被嵌部１６と、この被嵌部１６の中心部分に支持盤１８を介して管１７とが一体になり、この液剤移送部の保護具２０を保持筒１４の上端に被嵌すると、上記管１７は僅かの隙間を開けて上部中空針１５ｂに被嵌し上部中空針１５ｂを保護する。
【００１５】
ここで上記液剤移送部の保護具２０を、図２（ｂ）、図３（ａ）のように上記支持盤１８から被嵌部１６にかけて放射状の切り欠き１９を形成して保持筒１４に嵌め易くすることができ、また、図３（ａ）のように被嵌部１６の内周面に環状リブ２１ｂを形成するか、図３（ｂ）のように被嵌部の内周面に複数の突起２１ａを形成して、被嵌した液剤移送部の保護具２０が容易に外れないようにすることができる。
【００１６】
さらに、図４に示すように上端外周に雄ねじ１４ｓを設けた保持筒１４に、下端内周に雌ねじ２２ｓを設けたキャップ２２を被せるようにした液剤容器１０では、液剤移送部の保護具２０の被嵌部１６の下端内面に、雄ねじ１４ｓに対応する雌ねじ１６ｓを設けると既往の保持筒にそのまま用いることができる。
【００１７】
上記のように、保持筒１４に液剤移送部の保護具２０を被せた状態で点滴用カテーテル２３のコネクター２４を、管１７を経て上部中空針１５ｂに被嵌接続し、例えば図５に示すように図示しないスタンドに吊るして輸液２５を点滴している分岐接続部２６に点滴針２７を刺し込んで輸液２５とともに点滴するか単独で点滴しても良い。なお、図中の符号Ｖは三方コック、Ｗは点滴速度調整器、Ｘは点滴速度監視筒である。また、コネクター２４は、予め管１７に接続しておくこともできる。
【図面の簡単な説明】
【００１８】
【図１】本考案の液剤移送部の保護具を装着した液剤容器の断面図
【図２】同液剤移送部の保護具（ａ）その１、（ｂ）その２の斜視図
【図３】同液剤移送部の保護具（ａ）その３、（ｂ）その４の斜視図
【図４】同液剤移送部の保護具その５の正面図で（ａ）はキャップ、（ｂ）は液剤移送部の保護具、（ｃ）は保持筒
【図５】使用状態の説明図
【符号の説明】
【００１９】
１０  液剤容器
１１  頚部
１１ａ  開口部
１２  シール
１３  固定部材
１３ａ  （シールを）包む部分
１３ｂ  段差
１３ｃ  環状凹溝
１３ｆ  フランジ
１４  保持筒
１４ａ  （保持筒の）環状リブ
１４ｂ  （保持筒の）環状凹溝
１４ｓ  （保持筒の）雄ねじ
１５  中空針構成体
１５ｎ  中空針
１５ａ  下部中空針
１５ｂ  上部中空針
１５ｃ  円形壁
１５ｄ  鍔体
１５ｅ  摺動筒
１５ｆ  （摺動筒の）環状リブ
１６  被嵌部
１６ｓ  （被嵌部の）雌ねじ
１７  管
１８  支持盤
１９  切欠き
２０  液剤移送部の保護具
２１ａ  （被嵌部内周の）突起
２１ｂ  （被嵌部内周の）環状リブ
２２  キャップ
２２ｓ  （キャップの）雌ねじ
２３  カテーテル
２４  コネクター
２５  輸液
２６  分岐接続部
２７  点滴針
Ｂ  バイアル容器
Ｖ  三方コック
Ｗ  点滴速度調整器
Ｘ  点滴速度監視筒
【図１】
0003103274.tif 000003
【図２】
0003103274.tif 000004
【図３】
0003103274.tif 000005
【図４】
0003103274.tif 000006
【図５】
0003103274.tif 000007